(57)【要約】      （修正有）【課題】ディスクを簡単に掴むことができるようにするとともに、誤ってディスクを取り落としてしまうことを防ぐ。【解決手段】ディスクホルダ１０は、ディスク２が出し入れされるディスク出入口２８と、ディスク２を保持するディスク収納部２９と、を有するホルダ本体３０と、ホルダ本体３０内に移動可能に支持されると共に挿入されるディスク２で押圧されることによりスライド移動するスライド部材と、ホルダ本体３０に回動自在に支持されると共にコイルばね５１によってディスク収納部２９の内側に付勢された一対のホールドアーム３２Ｌ，３２Ｒと、ディスク２がディスク収納部２９の所定位置まで挿入されたときにスライド部材をロックすると共に再度スライド部材が押圧されることによりスライド部材のロックを解除するスライドロック機構と、を設けた。【選択図】図１
2006209863.tif 000002
【特許請求の範囲】
【請求項１】
挿入されるディスク状記録媒体を着脱可能に保持するディスクホルダを備えたディスク着脱装置において、
前記ディスクホルダは、
前記ディスク状記録媒体が出し入れされるディスク出入口と、当該ディスク状記録媒体を保持するディスク収納部と、を有するホルダ本体と、
前記ホルダ本体内に移動可能に支持されると共に挿入される前記ディスク状記録媒体で押圧されることによりスライド移動するスライド部材と、
前記ホルダ本体に回動自在に支持されると共にコイルばねによって前記ディスク収納部の内側に付勢された一対のホールドアームと、
前記ディスク状記録媒体が前記ディスク収納部の所定位置まで挿入されたときに前記スライド部材をロックすると共に再度スライド部材が押圧されることにより当該スライド部材の前記ロックを解除するスライドロック機構と、
を設けたことを特徴とするディスク着脱装置。
【請求項２】
前記スライドロック機構は、前記スライド部材に設けたカム溝と、前記ホルダ本体に回動可能に支持されると共に前記カム溝に対して係合及び離脱可能とされたロックピンを有するロックレバーと、前記スライド部材を前記ディスク出入口側に付勢するコイルばねと、を有し、
前記カム溝の初期位置では前記ロックレバーを回動させてロックピンを当該カム溝内に保持し、再度の押圧操作では前記ロックレバーを逆方向に回動させてロックピンを当該カム溝から離脱させるようにしたことを特徴とする請求項１記載のディスク着脱装置。
【請求項３】
前記一対のホールドアームには、前記ディスク状記録媒体の移動軌跡上に配置され前記スライド部材との間で当該ディスク状記録媒体を保持する保持爪をそれぞれ設けたことを特徴とする請求項１記載のディスク着脱装置。
【請求項４】
前記ホルダ本体には、前記ディスク収納部の所定位置に挿入された前記ディスク状記録媒体をターンテーブルと協働して挟持するチャッキングプレートを回転自在に保持したことを特徴とする請求項１記載のディスク着脱装置。
【請求項５】
前記ホルダ本体には、前記ディスク状記録媒体を浮かせて保持するためのクッション材を設けたことを特徴とする請求項１記載のディスク着脱装置。
【請求項６】
挿入されるディスク状記録媒体を着脱可能に保持するディスクホルダと、
前記ディスクホルダに保持された前記ディスク状記録媒体が着脱可能に装着されるターンテーブルを有するテーブル回転手段と、
前記テーブル回転手段が取り付けられたメカシャーシと、
前記メカシャーシに移動可能に支持されると共に前記ターンテーブルに装着された前記ディスク状記録媒体に対して情報信号の記録及び／又は再生を行うピックアップ手段と、
前記ディスクホルダを、当該ディスクホルダに装着されたディスク状記録媒体を前記ターンテーブルに装着される位置と当該ターンテーブルから離脱される位置とに移動するホルダ移動手段と、
を備えたディスク記録及び／又は再生装置において、
前記ディスクホルダは、前記ディスク状記録媒体が出し入れされるディスク出入口及び当該ディスク状記録媒体を保持するディスク収納部を有するホルダ本体と、前記ホルダ本体内に移動可能に支持されると共に挿入される前記ディスク状記録媒体で押圧されることによりスライド移動するスライド部材と、前記ホルダ本体に回動自在に支持されると共にコイルばねによって前記ディスク収納部の内側に付勢された一対のホールドアームと、前記ディスク状記録媒体が前記ディスク収納部の所定位置まで挿入されたときに前記スライド部材をロックすると共に再度スライド部材が押圧されることにより当該スライド部材の前記ロックを解除するスライドロック機構と、を設けたことを特徴とするディスク記録及び／又は再生装置。
【発明の詳細な説明】
【技術分野】
【０００１】
本発明は、情報記録媒体として用いられるディスク状記録媒体が着脱可能に装着されるディスク着脱装置、並びに、当該ディスク着脱装置を備えたディスク記録及び／又は再生装置に関するものである。
【背景技術】
【０００２】
従来の、この種のディスク着脱装置としては、例えば、特許文献１に記載されているようなものがある。特許文献１には、ディスクテーブル上に装着される光ディスクや光磁気ディスク等のディスクを上記ディスクテーブルに支持させるディスクチャッキング機構に関するものが記載されている。この特許文献１に記載されたディスクチャッキング機構は、「中央孔を有するディスクが載置され、回転駆動機構によって回転操作されるディスクテーブルと、上記ディスクテーブルの中央部に配設され、上記ディスクの中央孔と係合する係合体と、上記係合体から進退可能に配設されているとともに、弾性部材により上記係合体の外方向へ突出する方向に付勢され、上記ディスクテーブル上に載置されるディスクを上記ディスクテーブル側に押圧支持させる複数の球状部材とを備え、上記係合体には、上記複数の球状部材を各々突出させる複数の透孔が形成されているとともに、複数の切り込み部が形成されることによって少なくとも一つの弾性変位部が設けられてなる」ことを特徴としている。
【０００３】
このような構成を有するディスクチャッキング機構によれば、「球状部材によってディスクテーブルに載置されたディスクをチャッキングすることができ、ディスクをチャッキングするための機構を簡単な構成で実現でき、部品点数の削減のみならず、チャッキング機構自体の薄型化、小型化を図ることができると共に、係合体に複数の切り込みを設けることによって形成された弾性変位部によりディスクの偏心を吸収することができるので、ディスクテーブルと回転中心を一致させて回転駆動できる」という効果が期待される。
【０００４】
また、従来のディスク着脱装置の他の例としては、例えば、特許文献２に記載されているようなものもある。特許文献２には、記録媒体としてのディスクが収納されてなるディスクカートリッジを装着してディスクの再生（記録）を行うディスクプレーヤにおいて、ディスクカートリッジを円滑に取り出すためのイジェクト機構に関するものが記載されている。この特許文献２に記載されたディスクカートリッジのイジェクト機構は、「ディスクカートリッジが挿入保持されるカートリッジホルダと、上記カートリッジホルダに対してディスクカートリッジの挿脱方向に移動可能に取り付けられ、その一部に突設された係合爪がディスクカートリッジの凹部と係合するイジェクトレバーとを備え、上記イジェクトレバーの係合爪は、上記ディスクカートリッジの凹部との対接面部のディスクカートリッジ脱方向側の根元部分に凹状に切り欠いたアンダーカット部が形成される」ことを特徴としている。
【０００５】
このような構成を有するディスクカートリッジのイジェクト機構によれば、「ディスクカートリッジが多少傾いた状態で挿入された場合でも、イジェクトレバーの係合爪はディスクカートリッジの凹部から逃げることなくこの凹部との係合を維持されることになり、このためイジェクト機構が確実に機能しディスクカートリッジを円滑に取り出すことができる」等の効果が期待される。
【０００６】
しかしながら、特許文献１に記載されたセルフチャック方式（カートリッジに入っていないＣＤ等の裸のディスクを人がターンテーブルに装着する方式）の場合、ディスクの装着時には、ターンテーブル中心のディスク嵌合部にディスクのセンタ穴を正確に位置合わせした後、ディスク保持用爪のばね力に逆らってディスク嵌合部にセンタ穴を押し込まなければならなかった。また、ディスク嵌合部からディスクを取り外す場合にも、同じくディスク保持用爪のばね力に逆らってディスク嵌合部からディスクを引き剥がす必要があるため、ディスクの着脱作業時に大きな力が必要とされており、作業性が悪いという問題点があった。
【０００７】
また、特許文献２に記載されたポップアップ方式（ポップアップしたホルダ内にディスクカートリッジを挿入した後、ホルダを押し下げてディスクをターンテーブルに装着する方式）の場合、ディスクの装着は、カートリッジをホルダに挿入した後、そのホルダを押し下げることによってターンテーブルへのディスクの装着が可能とされていた。
【０００８】
ところが、このポップアップ方式では、ディスクの取出し時にはばねの力でディスクが押し出される構成となっていたため、ホルダのカートリッジ出入口を下に向けた状態でイジェクト操作を行うと、そのカートリッジ出入口からディスクが抜け出してしまい、ディスクを取り落とすおそれがあった。そのため、セルフチャック方式に比べて操作性に優れたポップアップ方式であっても、ディスクを落下させて傷付けるおそれがあることから、カートリッジで保護されていない裸のディスクを用いる電子機器には適用することができないという問題点があった。
【特許文献１】特開平３−１５７８５９号公報
【特許文献２】特開平７−８５５５９号公報
【発明の開示】
【発明が解決しようとする課題】
【０００９】
解決しようとする問題点は、従来のポップアップ方式のディスク着脱装置では、ホルダのカートリッジ出入口を下に向けた状態でイジェクト操作を行うと、ディスクを取り落として落下させ、ディスクを傷付けるおそれがあるという点である。
【課題を解決するための手段】
【００１０】
本出願のディスク着脱装置は、挿入されるディスク状記録媒体を着脱可能に保持するディスクホルダを備えたディスク着脱装置において、ディスクホルダは、ディスク状記録媒体が出し入れされるディスク出入口と、ディスク状記録媒体を保持するディスク収納部と、を有するホルダ本体と、ホルダ本体内に移動可能に支持されると共に挿入されるディスク状記録媒体で押圧されることによりスライド移動するスライド部材と、ホルダ本体に回動自在に支持されると共にコイルばねによってディスク収納部の内側に付勢された一対のホールドアームと、ディスク状記録媒体がディスク収納部の所定位置まで挿入されたときにスライド部材をロックすると共に再度スライド部材が押圧されることによりスライド部材のロックを解除するスライドロック機構と、を設けたことを最も主要な特徴とする。
【００１１】
本出願のディスク着脱装置は、スライドロック機構は、スライド部材に設けたカム溝と、ホルダ本体に回動可能に支持されると共にカム溝に対して係合及び離脱可能とされたロックピンを有するロックレバーと、スライド部材をディスク出入口側に付勢するコイルばねと、を有し、カム溝の初期位置ではロックレバーを回動させてロックピンをカム溝内に保持し、再度の押圧操作ではロックレバーを逆方向に回動させてロックピンをカム溝から離脱させるようにしたことを特徴とする。
【００１２】
本出願のディスク着脱装置は、一対のホールドアームには、ディスク状記録媒体の移動軌跡上に配置されスライド部材との間でディスク状記録媒体を保持する保持爪をそれぞれ設けたことを特徴とする。
【００１３】
本出願のディスク着脱装置は、ホルダ本体には、ディスク収納部の所定位置に挿入されたディスク状記録媒体をターンテーブルと協働して挟持するチャッキングプレートを回転自在に保持したことを特徴とする。
【００１４】
本出願のディスク着脱装置は、ホルダ本体には、ディスク状記録媒体を浮かせて保持するためのクッション材を設けたことを特徴とする。
【００１５】
また、本出願のディスク記録及び／又は再生装置は、挿入されるディスク状記録媒体を着脱可能に保持するディスクホルダと、そのディスクホルダに保持されたディスク状記録媒体が着脱可能に装着されるターンテーブルを有するテーブル回転手段と、そのテーブル回転手段が取り付けられたメカシャーシと、そのメカシャーシに移動可能に支持されると共にターンテーブルに装着されたディスク状記録媒体に対して情報信号の記録及び／又は再生を行うピックアップ手段と、ディスクホルダを、そのディスクホルダに装着されたディスク状記録媒体をターンテーブルに装着される位置とそのターンテーブルから離脱される位置とに移動するホルダ移動手段と、を備えたディスク記録及び／又は再生装置において、ディスクホルダは、ディスク状記録媒体が出し入れされるディスク出入口及びディスク状記録媒体を保持するディスク収納部を有するホルダ本体と、そのホルダ本体内に移動可能に支持されると共に挿入されるディスク状記録媒体で押圧されることによりスライド移動するスライド部材と、ホルダ本体に回動自在に支持されると共にコイルばねによってディスク収納部の内側に付勢された一対のホールドアームと、ディスク状記録媒体がディスク収納部の所定位置まで挿入されたときにスライド部材をロックすると共に再度スライド部材が押圧されることによりそのスライド部材のロックを解除するスライドロック機構と、を設けたことを特徴とする。
【発明の効果】
【００１６】
本出願のディスク着脱装置によれば、ホルダ本体とスライド部材と一対のホールドアームとスライドロック機構とを設けてディスクホルダを構成したため、ディスク出入口からディスク状記録媒体を挿入することによりスライド部材を押圧してディスク収納部の所定位置まで移動すると、スライド部材がスライドロック機構によってロックされると共に、一対のホールドアームによってディスク状記録媒体がディスク収納部内に保持される。その後、ディスク状記録媒体を更に押圧してスライド部材を移動させると、スライドロック機構によるスライド部材のロックが解除され、コイルばねのばね力でスライド部材がディスク出入口側に移動してディスク状記録媒体がディスク収納部内から押し出されることにより、ディスク状記録媒体が取出し可能な状態となる。これにより、ディスク状記録媒体を簡単且つ確実に着脱保持できるディスク着脱装置を、比較的簡単な構成によって実現することができ、装置全体の小型化、薄型化を図ることができる。
【００１７】
本出願のディスク着脱装置によれば、スライド部材のカム溝とロックピンを有するロックレバーとコイルばねとを設けてスライドロック機構を構成したため、カム溝の初期位置ではロックピンを保持してスライド部材をロックし、その後の押圧操作によってスライド部材が押圧されると、ロックピンがカム溝内から離脱してスライド部材のロックが解除される。これにより、スライド部材のロックとそのロック解除とを簡単且つ確実に行うことができ、構造が簡単であって装置の小型化を図ることができるスライドロック機構を提供することができる。
【００１８】
本出願のディスク着脱装置によれば、一対のホールドアームに保持爪をそれぞれ設け、その保持爪をディスク状記録媒体の移動軌跡上に配置する構成としたため、これら保持爪とスライド部材とでディスク状記録媒体を挟持することにより、ディスク収納部に対するディスク状記録媒体の出し入れ操作をコイルばねのばね力に抗して簡単に行うことができると共に、ディスク状記録媒体をしっかりと確実に保持することができる。
【００１９】
本出願のディスク着脱装置によれば、チャッキングプレートがホルダ本体に回転自在に保持されているため、ターンテーブルと協働してディスク状記録媒体を確実に挟持することができ、装置の薄型化、小型化を図ることができる。
【００２０】
本出願のディスク着脱装置によれば、クッション材がホルダ本体に設けられているため、ホルダ本体からディスク状記録媒体を浮かせて保持することができ、ディスク状記録媒体の情報記録面やその反対側のラベル面がホルダ本体により擦られて傷付けられるのを防ぐことができる。
【００２１】
また、本出願のディスク記録及び／又は再生装置によれば、ディスクホルダとテーブル回転手段とメカシャーシとピックアップ手段とホルダ移動機構とを備え、ホルダ本体とスライド部材と一対のホールドアームとスライドロック機構とを設けてディスクホルダを構成したため、ディスク出入口からディスク状記録媒体を挿入することによりスライド部材を押圧してディスク収納部の所定位置まで移動すると、スライド部材がスライドロック機構によってロックされると共に、一対のホールドアームによってディスク状記録媒体がディスク収納部内に保持される。その後、ディスク状記録媒体を更に押圧してスライド部材を移動させると、スライドロック機構によるスライド部材のロックが解除され、コイルばねのばね力でスライド部材がディスク出入口側に移動してディスク状記録媒体がディスク収納部内から押し出されることにより、ディスク状記録媒体が取出し可能な状態となる。これにより、ディスク状記録媒体を簡単且つ確実に着脱保持できるディスク着脱装置を備え、装置全体の小型化、薄型化を図ることができるディスク記録及び／又は再生装置を、比較的簡単な構成によって実現することができる。
【発明を実施するための最良の形態】
【００２２】
ディスク状記録媒体の着脱操作を簡単且つ確実に行うことができると共に、ディスク状記録媒体を取り出す際にも、そのディスク状記録媒体を取り落とすおそれのないディスク着脱装置並びにそのディスク着脱装置を備えたディスク記録及び／又は再生装置を、簡単な構造によって実現した。
【００２３】
図１〜図２０は、本発明の実施の形態の例を示すものである。即ち、図１は本発明のディスク記録及び／又は再生装置の一実施例を示す分解斜視図、図２〜図７はディスクホルダが上昇してディスク状記録媒体の一部がディスクホルダから出ている状態を示す図、図８〜図１３はディスクホルダが上昇してディスク状記録媒体がディスクホルダ内に入っている状態を示す図、図１４〜図１９はディスクホルダが下降してディスク状記録媒体がターンテーブルに装着されている状態を示す図、図２０Ａ，Ｂはスライド部材の一実施例を示す斜視図である。
【００２４】
図１〜図１９に示すディスク記録及び／又は再生装置は、情報記憶メディアであるディスク状記録媒体の一具体例として示す直径８ｃｍのＤＶＤ−ＲＷ（Digital Versatile Disc−Rewritable）を使用し、映像情報や文字情報等を電気的な信号に変換してディスク（ＤＶＤ−ＲＷ）２に記録したり、図示しない液晶ディスプレイ等の表示装置に表示し或いは図示しないスピーカから音声として出力できるようにしたもの（以下「ディスク記録再生装置」という。）である。
【００２５】
しかしながら、本発明のディスク状記録媒体としては、この実施例で示すディスク（ＤＶＤ−ＲＷ）２に限定されるものではなく、ＤＶＤ−Ｒ、ＤＶＤ−ＲＡＭその他の記録可能な光学ディスクは勿論、情報の再生のみが可能なＤＶＤ、ＣＤ、ＣＤ−ＲＯＭ等の光学ディスクを用いることができることは勿論のこと、その他にも光磁気ディスク、磁気ディスク等のように他の記録方式のディスク状記録媒体を適用することができることは勿論である。
【００２６】
図１等に示すように、ディスク記録再生装置１は、外装ケース３と、この外装ケース３に固定される外装シャーシ６と、この外装シャーシ６に取り付けられて外装ケース３内に収納されるディスクドライブ装置７と、ディスク２を着脱可能に保持すると共に保持したディスク２をディスクドライブ装置７に着脱可能に装着するディスクホルダ１０等を備えて構成されている。
【００２７】
外装ケース３は、枠状の部材によって形成されたケース本体４と、このケース本体４の上面の開口部を開閉するケース蓋体５と、このケース蓋体５を支持する上部プレート１１等を備えている。ケース本体４は、一側が半円形をなしていて、他側が方形をなす枠体からなり、その上面の開口部と対応する形状（この実施例では、一側が半円形をなし且つ他側が方形をなす、いわゆる「シェル形」）としてケース蓋体５が形成されている。このケース蓋体５とケース本体４とによって中空の筐体が構成されている。ケース蓋体５の内面には上部プレート１１が、ねじ止め等の固着手段によって着脱可能に取り付けられている。
【００２８】
ケース本体４の下面の開口部は、その開口部の形状に見合う形状を有する板体からなる外装シャーシ６によって閉じられている。外装シャーシ６には、上部プレート１１を回動自在に支持するための一対の軸受片６ａ，６ａと、上部プレート１１の跳ね上げ量を制限するための一対の係止片６ｂ，６ｂと、外装シャーシ６をケース本体４に取り付けるための複数個の取付片６ｃとが設けられている。一対の軸受片６ａ，６ａと一対の係止片６ｂ，６ｂと複数個の取付片６ｃとは左右対称に配置されている。そして、各取付片６ｃにはネジ孔が設けられており、ケース本体４に設けた挿通孔に挿通される取付ねじの締め込みによって外装シャーシ６がケース本体４に着脱可能に取り付けられている。
【００２９】
上部プレート１１には、両側部に設けた突出部を下方へ折り曲げることによって一対の軸受片１１ａ，１１ａと一対のストッパ片１１ｂ，１１ｂとが設けられている。一対の軸受片１１ａ，１１ａは、外装シャーシ６の一対の軸受片６ａ，６ａの内側にそれぞれ対向するように配置されると共に、それぞれ回動軸部１２によって回動自在に連結されている。この回動軸部１２を介して外装シャーシ６と上部プレート１１が回動自在に連結され、この外装シャーシ６と上部プレート１１を介してケース本体４とケース蓋体５が回動自在に連結されている。
【００３０】
上部プレート１１の一対の軸受片１１ａ，１１ａのうちの一方の軸受片１１ａの先端には、内側に折り曲げられたばね受け片が設けられている。この上部プレート１１のばね受け片には、ケース蓋体５のためのコイルばね１４の一端が掛け止められている。そのコイルばね１４の他端は、引っ張られた状態で外装シャーシ６に設けたばね受け片６ｄに掛け止められている。このコイルばね１４のばね力によって上部プレート１１は、回動軸部１２を回動中心として、その反対側の自由端側が常時上方へ付勢されている。
【００３１】
また、上部プレート１１の一対のストッパ片１１ｂ，１１ｂは、外装シャーシ６の一対の係止片６ｂ，６ｂの内側にそれぞれ対向するように配置されている。各ストッパ片１１ｂの先端には外側に突出する爪部１１ｃが設けられていると共に、これらの爪部１１ｃに対応して各係止片６ｂの先端には係止爪６b1がそれぞれ設けられている。これにより、係止片６ｂの係止爪６b1とストッパ片１１ｂの爪部１１ｃとが互いに係合可能とされていて、コイルばね１４のばね力で常時上方へ付勢される上部プレート１１の上方への回動量が制限されている。
【００３２】
更に、図３に示すように、上部プレート１１の自由端側の先端には、その上部プレート１１を閉じた状態（ディスクホルダ１０をプレイ位置に保持してディスク２をターンテーブルに装着した状態）に保持するロック片１５が設けられている。このロック片１５に対応させて外装シャーシ６の対応する部分には、ロック片１５と係合可能とされたイジェクト部材１６が設けられている。このイジェクト部材１６を操作してロック片１５のロックを解除することにより、コイルばね１４のばね力でディスクホルダ１０の自由端側を跳ね上げて、ディスクホルダ１０を所定の角度に傾斜させて立ち上げることができるようになっている。
【００３３】
また、外装シャーシ６の上面には、ディスクドライブ装置７を支持するための複数（本実施例では３箇所）の支持軸部１７が設けられている。これらの支持軸部１７には、マウントインシュレータ１８を介してディスクドライブ装置７が弾性的に支持されている。マウントインシュレータ１８は、防振特性及び耐衝撃性等に優れたゴム状弾性体によってリング状に形成されており、その穴内に支持軸部１７の先端軸部が挿入されている。このマウントインシュレータ１８は、メカシャーシ８に設けた３箇所のインシュレータ取付部８ａに嵌合されて固定されている。
【００３４】
外装ケース３を構成するディスク本体４及びディスク蓋体５の材質としては、例えば、ＡＢＳ（アクリロニトリル・ブタジエン・スチレン樹脂）が好適である。しかしながら、ＡＢＳに限定されるものではなく、その他のエンジニアリングプラスチックを適用できることは勿論のこと、合成樹脂以外のステンレス鋼（ＳＵＳ）、アルミニウム合金等の金属を用いることもできる。また、外装シャーシ６及び上部プレート１１の材質としては、例えば、ステンレス鋼が好適であるが、スチール鋼、アルミニウム合金その他の金属を適用できることは勿論のこと、金属以外のエンジニアリングプラスチックを用いることもできる。
【００３５】
ディスクドライブ装置７は、マウントインシュレータ１８を介して外装シャーシ６に弾性的に支持されるメカシャーシ８と、このメカシャーシ８に取り付けられたテーブル回転手段９と、図示しないピックアップ手段の一具体例を示す光学ピックアップ装置と、その光学ピックアップ装置をテーブル回転手段９に対して接近及び離反させるようにディスク２の半径方向に所定範囲内で往復移動させる同じく図示しないピックアップ移動手段等を備えて構成されている。
【００３６】
ディスクドライブ装置７のメカシャーシ８は、略長方形をなす板体からなり、その前部と左右側部の３箇所にインシュレータ取付部８ａが設けられている。メカシャーシ８には、長手方向に延在された略四角形をなす開口部２０が上下方向へ貫通するように設けられている。このメカシャーシ８の長手方向の一側であって、開口部２０の縁部分に、テーブル回転手段９が配置されている。テーブル回転手段９は、メカシャーシ８にねじ止め等の固着手段によって固定されたスピンドルモータと、このスピンドルモータの回転部に設けられたターンテーブル２３とから構成されている。
【００３７】
ターンテーブル２３は、ディスク２のセンタ穴が嵌合されるディスク嵌合部２３ａと、そのセンタ穴の周縁部が載置されるディスク載置部２３ｂとを有している。ターンテーブル２３のディスク嵌合部２３ａには、ディスク２のセンタ穴の周縁部に係合してディスク２を保持する複数個（例えば、３個）のセンタリング爪が周方向に等間隔に配置されている。図示しないが、各センタリング爪はスプリングによって半径方向外側へ付勢されており、そのスプリングのバネ力による保持力でディスク２がターンテーブル２３の所定位置に位置決めされて固定される。
【００３８】
このテーブル回転手段９の近傍であって、開口部２０内に、図示しない光学ピックアップ装置が配設されている。光学ピックアップ装置は、例えば、ディスク２の情報記録面に対向される対物レンズを有する二軸アクチュエータと、この二軸アクチュエータが搭載されるスライド部材等を備えて構成される。スライド部材は、例えば、互いに平行に配置された２本のガイド軸にガイドされてテーブル回転手段９に対して進退移動（接近及び離反）可能に構成される。
【００３９】
このテーブル回転手段９を進退移動させるピックアップ移動手段は、例えば、２本のガイド軸と、スライド部材に固定されるナット部材と、このナット部材の歯部が摺動可能に係合されるねじ溝を有する送りねじ軸と、この送りねじ軸を回転駆動する駆動モータ等を備えて構成される。駆動モータを一方へ回転することにより、送りねじ軸の回転力が送りナットを介してスライド部材に伝達され、光学ピックアップ装置がターンテーブル２３に近づく方向へ移動される。これとは逆に、駆動モータを他方へ回転すると、同じく送りねじ軸の回転力が送りナットを介してスライド部材に伝達され、光学ピックアップ装置がターンテーブル２３から離れる方向へ移動される。
【００４０】
また、メカシャーシ８のテーブル回転手段９の反対側には、ディスクホルダ１０をメカシャーシ８に回動可能に支持するための支持プレート２５が固定されている。支持プレート２５には、メカシャーシ８の両側部に突出する一対の支持片２５ａ，２５ａが設けられている。この一対の支持片２５ａ，２５ａにより、挿入されるディスク２を着脱可能に保持するディスクホルダ１０が、上下方向へ俯仰動作可能に支持されている。更に、メカシャーシ８の支持プレート２５と反対側の両側部には、ディスク２がターンテーブル２３に装着されたときに、一対のホールドアーム３２Ｌ，３２Ｒを少々開いてディスク２との接触を回避するための一対のカムアーム２６，２６が設けられている。
【００４１】
ディスクホルダ１０は、ディスク２が出し入れされるディスク出入口２８と、このディスク出入口２８に連続すると共にディスク２を保持することができるディスク収納部２９とを有するホルダ本体３０と、このホルダ本体３０内に移動可能に保持されたスライド部材３１と、ホルダ本体３０に回動自在に支持された一対のホールドアーム３２Ｌ，３２Ｒと、ディスク２がディスク収納部２９の所定位置まで挿入されたときにスライド部材３１をロックすると共に再度スライド部材３１が押圧されたときにそのロックを解除するスライドロック機構３３等を備えて構成されている。
【００４２】
ホルダ本体３０は、所定の間隔をあけて対向するように設けられた上面板３５と下面板３６とからなり、上面板３５の側面部３５ｂと下面板３６の側面部とを重ね合わせることによって上下面板３５，３６間に、ディスク収納部２９を形成する所定の隙間が設けられている。上面板３５は、使用されるディスク２の大きさ（直径）と略同程度の長さ及び幅を有する薄い板体からなり、ディスク出入口２８とされる側と反対側の端部に設けた突出部を下方へ折り曲げることによって一対の支持片３５ａ，３５ａと、前記側面部３５ｂ，３５ｂとが設けられている。
【００４３】
一対の支持片３５ａ，３５ａは、メカシャーシ８に固定された支持プレート２５の一対の支持片２５ａ，２５ａと対向するように配置されると共に、それぞれ回動軸部により連結されて回動自在に構成されている。この一対の回動軸部を介して支持プレート２５と上面板３５とが回動自在に連結されている。
【００４４】
上面板３５の略中央部には、ターンテーブル２３の直径と略同様の大きさを有する貫通穴が設けられ、その貫通穴はプレートカバー３８によって覆われている。プレートカバー３８は、その外周面を上面板３５に密着させて固定されている。このプレートカバー３８と上面板３５とで形成された円形の空間部に、同じく円形をなす板体からなるチャッキングプレート３９が回転自在に収納されている。
【００４５】
図６等に示すように、上面板３５の上面において、支持片３５ａ側とプレートカバー３８との間には、ロックレバー４１が回動軸４２によって回動自在に支持されている。ロックレバー４１は、後述するスライド部材３１のロックとその解除を操作するもので、Ｌ字状に形成されている。このロックレバー４１は、折れ曲がり部を貫通する回動軸４２によって上面板３５に取り付けられており、プレートカバー３８と反対側に延在された一方のレバー片の先端部にカムピン４３が設けられている。カムピン４３は、上面板３５に設けた穴４４を貫通して上面板３５の内側に突出されている。
【００４６】
ロックレバー４１の他方のレバー片の中途部には、コイルばね４５の一端が掛け止められている。コイルばね４５の他端は、上面板３５に設けたばね受け片４６に引っ張り状態で掛け止められている。このコイルばね４５のばね力によるロックレバー４１の回動が、上面板３５に設けた係止片４７によって制限されている。従って、ロックレバー４１は、カムピン４３の移動を制限する穴４４と係止片４７とによる制限のもとに所定範囲内で回動自在とされている。そして、後述するスライド部材３１のカム溝によってカムピン４３の動きが制御される。
【００４７】
一対のホールドアーム３２Ｌ，３２Ｒは、回動軸４８によって上面板３５の両側部にそれぞれ回動自在に支持されている。各ホールドアーム３２Ｌ，３２Ｒは、略Ｌ字状に形成された板体からなり、一方のアーム片をディスク２が出し入れされる方向（挿脱方向）と平行に延在させると共に、他方のアーム片をディスク出入口２８側に配して互いに対向するように内向きに設定されている。そして、一方のアーム片の先端部を貫通する回動軸４８によって上面板３５の各側部に回動自在に取り付けられている。各ホールドアーム３２Ｌ，３２Ｒの折れ曲がり部における外側の縁には、下面板３６側に突出する保持爪５０がそれぞれ一体に設けられている。
【００４８】
保持爪５０は、ディスク収納部２９に対して出し入れされるディスク２の移動軌跡上に配置されており、ディスク収納部２９に収納されたディスク２の移動を制限している。更に、各ホールドアーム３２Ｌ，３２Ｒの他方のアーム片の先端部には、一対の弾性部材の一具体例を示すコイルばね５１の一端がそれぞれ掛け止められている。一対のコイルばね５１，５１の他端は、スライド部材３１に設けたばね受け凸部５２に引っ張り状態で掛け止められている。この一対のコイルばね５１，５１のばね力によって一対のホールドアーム３２Ｌ，３２Ｒがディスク収納部２９の内側に常時付勢されている。そして、一対のホールドアーム３２Ｌ，３２Ｒの内側への回動が、上面板３５の縁によって制限されている。
【００４９】
更に、各ホールドアーム３２Ｌ，３２Ｒには、回動軸４８を曲率半径の中心として円弧状に延在されたガイド溝５３がそれぞれ設けられている。これらのガイド溝５３に対応させて上面板３５には、ホールドアーム３２Ｌ，３２Ｒが回動方向と垂直をなす方向に離れるのを防止する規制片５４が設けられている。この規制片５４によって各ホールドアーム３２Ｌ，３２Ｒは、上面板３５の表面から大きく離れることなくその表面に沿って回動され、これによりホールドアーム３２Ｌ，３２Ｒの動作の確実性が担保されている。
【００５０】
このような構成を有する上面板３５と組み合わされてホルダ本体３０を形成する下面板３６は、略コ字状をなす板体として形成されている。この下面板３６は、ディスク出入口２８側に配置される前面部と、その前面部の両端に連続して同方向に延在された左右の側面部とからなり、各側面部には上面板３５側に突出する立ち上げ部が設けられている。この立ち上げ部を下面板３６に設けることによって上面板３５と下面板３６との間に所定の空間部を形成し、その空間部をディスク２が収納されるディスク収納部２９として構成している。上面板３５と下面板３６は、図示しない固定ねじを用いたねじ固着手段によって組立分解可能に構成されている。
【００５１】
このホルダ本体３０のディスク収納部２９に連続する一方の開口部がディスク出入口２８とされていて、そのディスク出入口２８と反対側にスライド部材３１が配置されている。ディスク出入口２８の両側部には、ディスク収納部２９に出し入れされるディスク２を浮かして保持するための２組のクッション材５５，５５が略対称をなす位置に設けられている。
【００５２】
１組のクッション材５５は、上面板３５に固定されたゴム状の弾性体５５ａと、下面板３６に固定されたゴム状の弾性体５５ｂとからなっている。一対の弾性体５５ａ，５５ｂは、上下に対向されていると共に、互いの先端部が当接するように構成されている。このように対をなす２組のクッション材５５，５５でディスク２の両面を摺動可能に支持することにより、ディスク２の情報記録面及びその反対側のラベル面が上面板３５及び下面板３６の内面と接触して傷付けられるのを防止している。
【００５３】
スライド部材３１は、図２０Ａ，Ｂに示すような形状及び構成を有している。図２０Ａは上面側から見た斜視図、図２０Ｂは下面側から見た斜視図であり、その上面に上面板３５が対向され、下面に下面板３６が対向されている。スライド部材３１は、略三日月形に形成された板体からなり、その一側にディスク２を受けて保持するための円弧状受面３１ａが形成されている。スライド部材３１の円弧状受面３１ａと反対側は直線面３１ｂとされており、その直線面３１ｂには、ロックレバー４１を回動制御するためのカム溝６０が設けられている。
【００５４】
カム溝６０は、上面に開口された略Ｍ字状をなすロック部６０ａと、そのロック部６０ａの一側に一端が連続され且つ他端が直線面３１ｂに開口された挿入部６０ｂとを有している。挿入部６０ｂは、ロック部６０ａの一側から他側に向けて傾斜させて設けられている。カム溝６０は、スライド部材３１の中央より一側に偏倚した位置に設けられており、スライド部材３１の略中央部には中央ガイド６１が設けられ、両側部には一対の側部ガイド６２，６２が設けられている。
【００５５】
中央ガイド６１は、上面板３５に設けた中央ガイド溝６３に摺動可能に係合されている。また、一対の側部ガイド６２，６２は、上面板３５に設けた一対の側部ガイド溝６４，６４にそれぞれ摺動可能に係合されている。これら中央ガイド６１と中央ガイド溝６３及び一対の側部ガイド６２，６２と一対の側部ガイド溝６４，６４との３箇所でスライド部材３１を摺動可能に支持することにより、そのスライド部材３１を一定の姿勢、即ち、ディスク出入口２８に対してスライド部材３１を略平行に移動させることができるように構成している。
【００５６】
更に、スライド部材３１の上面には、一対のばね受け凸部５２，５２が設けられている。一対のばね受け凸部５２，５２は、中央ガイド６１と各側部ガイド６２との間に配置されていて、一端がホールドアーム３２Ｌ，３２Ｒに掛け止められた一対のコイルばね５１，５１の他端がそれぞれ掛け止められている。これら一対のコイルばね５１，５１のばね力によってスライド部材３１と一対のホールドアーム３２Ｌ，３２Ｒとが互いに引き合うように付勢されている。そして、スライド部材３１の移動を、一対の側部ガイド６２，６２を一対の側部ガイド溝６４，６４の端部に当接することによって防止している。
【００５７】
また、スライド部材３１の下面には、摺動摩擦抵抗を少なくするための逃げ溝６５が設けられている。なお、上面板３５には、コイルばね４５との接触を回避するための第１の長穴６６と、コイルばね５１との接触を回避するための一対の第２の長穴６７とが設けられている。
【００５８】
かくして、スライド部材３１がディスク出入口２８に近い側に位置しているときには、カム溝６０とロックレバー４１のカムピン４３とは互いに離れた位置に対向されている。その状態から、スライド部材３１がディスク出入口２８から離れるように奥側へ所定量移動することにより、カムピン４３が相対的に近づく方向へ移動して挿入部６０ｂからカム溝６０内に入り込む。そして、カムピン４３がロック部６０ａまで移動したところでその位置にカムピン４３が係止され、これにより、スライド部材３１がロックされる。
【００５９】
次に、ディスク２を更に押圧することによってスライド部材３１を更に奥側へ移動すると、カムピン４３がロック部６０ａの凸部を乗り越え、これによりカムピン４３のロックが解除される。その後、ディスク２の押圧力を解除すると、一対のコイルばね５１，５１のばね力によってスライド部材３１がディスク出入口２８側に移動する。このとき、カムピン４３がロック部６０ａの閉鎖端に当接するが、そのカムピン４３が固定されたロックレバー４１が板ばねで形成されているため、ロックレバー４１自体が持つ弾性によってカムピン４３が後退してロック部６０ａの閉鎖端を乗り越える。これにより、カムピン４３がカム溝６０から離反し、スライド部材３１のディスク出入口２８側への移動が可能となる。
【００６０】
このような構成を有するディスクホルダ１０が、上面板３５をメカシャーシ８に支持する一対の回動軸によって回動自在に支持されている。このディスクホルダ１０の外側に、外装シャーシ６によって回動自在に支持された上部プレート１１が配置されている。上部プレート１１には、ディスクホルダ１０側に突出された一対の板バネ６８，６８が固定されている。一対の板ばね６８，６８の先端部は上面板３５に圧接されており、そのばね力によって上部プレート１１がディスクホルダ１０から離れる方向に付勢されている。このとき、上面板３５に設けた制限片３５ｃが、上部プレート１１のストッパ片１１ｂに設けた制限穴６９の下辺に当接する。これにより、ディスクホルダ１０に対する上部プレート１１の回動量が所定の範囲内となるように構成されている。
【００６１】
前記上部プレート１１、上面板３５及びロックレバー４１の材質としては、例えば、ステンレス鋼等の金属が好適であるが、ＡＢＳその他のエンジニアリングプラスチックを用いることもできる。また、スライド部材３１、ホールドアーム３２ｌ，３２Ｒ及び下面板３６の材質としては、例えば、ＡＢＳその他のエンジニアリングプラスチックが好適であるが、ステンレス鋼等の金属を用いることもできる。
【００６２】
前述したような構成を有するディスク記録再生装置１は、例えば、次のようにして用いることができる。図２〜図１９は、ディスク記録再生装置１の作用を説明するものであり、図２〜図７は、ケース蓋体５を開くと共に上昇したディスクホルダからディスク２の一部が出ている状態を示すもので、図２は装置全体の外観斜視図、図３は外装ケース３を取り除いた斜視図、図４は装置全体の側面図、図５は外装ケース３を取り除いた側面図、図６は同じく平面図、図７は要部を断面した説明図である。
【００６３】
また、図８〜図１３は、ケース蓋体５を開くと共に上昇したディスクホルダのディスク収納部２９にディスク２が収納されている状態を示すもので、図８は装置全体の外観斜視図、図９は外装ケース３を取り除いた斜視図、図１０は装置全体の側面図、図１１は外装ケース３を取り除いた側面図、図１２は同じく平面図、図１３は要部を断面した説明図である。更に、図１４〜図１９は、ケース蓋体５を閉じると共に下降したディスクホルダのディスク収納部２９に収納されているディスク２をターンテーブルに装着した状態を示すもので、図１４は装置全体の外観斜視図、図１５は外装ケース３を取り除いた斜視図、図１６は装置全体の側面図、図１７は外装ケース３を取り除いた側面図、図１８は同じく平面図、図１９は要部を断面した説明図である。
【００６４】
まず、ディスク２を装着する場合について説明する。外装ケース３の前面に露出されているイジェクト部材１６を操作することにより、ロック片１５のロックが解除され、コイルばね１４のばね力によって上部プレート１１の軸受片１１ａが引っ張られる。これにより、上部プレート１１が回動軸部１２を回動中心として図５において時計方向に回動される。その結果、上部プレート１１と一体にケース蓋体５が開放されると共に、ディスクホルダ１０の上面板３５が上部プレート１１の回動動作によって引き上げられる。その結果、上面板３５を支持するメカシャーシ８の回動軸部３７を回動中心として図７において時計方向に回動される。
【００６５】
これにより、ディスクホルダ１０の自由端側が跳ね上げられ、ディスクホルダ１０のディスク出入口２８がやや上向きに開口された図２〜図７に示す状態となる。但し、ディスクホルダ１０には、まだディスク２は挿入されていない。この状態から、ディスクホルダ１０のディスク出入口２８にディスク２を挿入する。
【００６６】
ディスクホルダ１０のディスク出入口２８にディスク２を挿入していくと、まず、ディスク２の前側縁が左右一対のホールドアーム３２Ｌ，３２Ｒ間に入り込み、これらをそれぞれ外側に押し開き、次に、スライド部材３１の円弧状受面３１ａに当接される。続けて、ディスク２を押圧すると、ディスク２と共にスライド部材３１が奥へ移動し、所定の位置まで移動すると、ロックレバー４１のカムピン４３がスライド部材３１のカム溝６０内に入り込む。そして、カムピン４３がカム溝６０内のロック部６０ａまで移動することにより、スライド部材３１がロックされ、そのロック位置に保持される。この状態が、図８〜図１３に示すものである。
【００６７】
このとき、一対のコイルばね５１，５１によって左右のホールドアーム３２Ｌ，３２Ｒが閉じられ、このホールドアーム３２Ｌ，３２Ｒとスライド部材３１の内側にディスク２が回転自在に保持される。これにより、ディスクホルダ１０のディスク収納部２９内に収納されたディスク２の脱落（落下或いは抜け出し等）が防止される。
【００６８】
次に、ケース蓋体５を上方から押圧して押し下げる。これにより、ケース蓋体５に加えられる押圧力が、上部プレート１１及び一対の板バネ６８，６８を介してディスクホルダ１０に伝達され、ディスクホルダ１０が押し下げられる。そして、ディスクホルダ１０が所定位置まで押し下げられることにより、そのディスクホルダ１０がディスクドライブ装置７の所定位置に圧着される。これにより、ディスク２がターンテーブル２３上に載置されると共に、そのターンテーブル２３に内蔵されたマグネットにより、上面板３５に保持されているチャッキングプレート３９が吸着される。その結果、ディスク２がターンテーブル２３とチャッキングプレート３９とで挟持され、回転方向に一体とされる。この状態が、図１４〜図１９に示すものである。
【００６９】
このとき、一対のホールドアーム３２Ｌ，３２Ｒは、メカシャーシ８に設けた一対のカムアーム２６，２６によって少々外側に開かれる。これにより、一対のホールドアーム３２Ｌ，３２Ｒとディスク２との間に一定の隙間が確保され、ディスク２がターンテーブル２３によって回転駆動されるときにも、ディスク２の外周縁が一対のホールドアーム３２Ｌ，３２Ｒと摺動接触しないように考慮されている。これにより、ディスク記録再生装置１の動作が可能となり、ディスク２の情報記録面に対して新たな情報信号を記録したり、予め記録されている情報信号を読み出したりすることが可能となる。
【００７０】
次に、ディスク２を取り出す場合について説明する。図１４〜図１９に示す状態から、イジェクト部材１６を操作することにより、上部プレート１１のロックが外れ、コイルばね１４のばね力でケース蓋体５と上部プレート１１とディスクホルダ１０の自由端側が所定量だけ跳ね上げられる。これにより、ディスク記録再生装置１が、図８〜図１３に示す状態となる。この状態では、一対のホールドアーム３２Ｌ，３２Ｒが、ディスクホルダ１０からディスク２が抜け出るのを防いでいるため、ディスクホルダ１０のディスク出入口２８を下に向けることによってもディスク２がディスク収納部２９から抜け出すことが無く、ディスク２の落下を確実に防ぐことができる。
【００７１】
次に、ディスクホルダ１０に収納されているディスク２の端部を押すと、ロックレバー４１のカムピン４３とスライド部材３１のカム溝６０がプッシュ−プッシュ機構（押す方向のみで繰り返される操作機構）を構成しているため、スライド部材３１のロックが解除される。これにより、一対のコイルばね５１，５１のばね力によってスライド部材３１がディスク出入口２８側に押し出され、図２〜図７に示す状態となる。ここまでディスク２が押し出されると、ディスク２の情報記録面に触れることなく、その外周縁を持ってディスク２を取り出すことができる。そのため、ディスク２の情報記録面に触れることなく、ディスク２の着脱作業を容易に行うことができる。
【００７２】
以上説明したように、本発明によれば、ケースに収納されていない裸のディスクを用いるポータブル電子機器において、ディスクの挿入・取り出し操作を簡単且つ確実に行うことができ、ディスク着脱の操作性を向上することができる。また、ディスクを取り出す際には、手で掴める位置までディスクが排出されるため、ディスクを簡単に掴むことができると共に、その位置において一対のホールドアームでディスクが保持されるため、誤ってディスクを取り落として傷付けてしまうおそれを防ぐことができる。
【産業上の利用可能性】
【００７３】
本発明は、前述しかつ図面に示した実施の形態に限定されるものではなく、その要旨を逸脱しない範囲内で種々の変形実施が可能である。例えば、前記実施例では、ＤＶＤ−ＲＷ（光ディスク）を記録媒体として用いたディスク記録再生装置に適用した例について説明したが、光磁気ディスクや磁気ディスク等の他の記録方式のディスク状記録媒体を用いた記録再生装置に適用できるものである。また、前記実施例では、情報信号の再生ばかりでなく記録も可能なディスク記録再生装置について説明したが、再生のみが可能なディスク再生装置は勿論のこと、記録のみが可能なディスク記録装置にも適用可能である。
【００７４】
更に、本発明のディスク着脱装置及びディスク記録再生装置を適用可能な電子機器としては、前述した記録再生装置に限定されるものではなく、この種の装置が用いられる撮像装置、パーソナルコンピュータ、電子辞書、ＤＶＤプレーヤ、カーナビゲーションその他各種の電子機器に適用できるものである。
【図面の簡単な説明】
【００７５】
【図１】本発明のディスク記録及び／又は再生装置の一実施例を示す分解斜視図である。
【図２】本発明のディスク記録及び／又は再生装置の一実施例を示すもので、ケース蓋体を開くと共に上昇したディスクホルダからディスクの一部が出ている状態の全体斜視図である。
【図３】図２において、外装ケースを取り除いた状態の斜視図である。
【図４】図２の側面図である。
【図５】図４において、外装ケースを取り除いた状態の側面図である。
【図６】図５の平面図である。
【図７】図５の一部を断面した説明図である。
【図８】本発明のディスク記録及び／又は再生装置の一実施例を示すもので、ケース蓋体を開くと共に上昇したディスクホルダのディスク収納部にディスクが収納されている状態の全体斜視図である。
【図９】図８において、外装ケースを取り除いた状態の斜視図である。
【図１０】図８の側面図である。
【図１１】図１０において、外装ケースを取り除いた状態の側面図である。
【図１２】図１１の平面図である。
【図１３】図１１の一部を断面した説明図である。
【図１４】本発明のディスク記録及び／又は再生装置の一実施例を示すもので、ケース蓋体を閉じると共に下降したディスクホルダのディスク収納部に収納されているディスクをターンテーブルに装着した状態の全体斜視図である。
【図１５】図１４において、外装ケースを取り除いた状態の斜視図である。
【図１６】図１４の側面図である。
【図１７】図１６において、外装ケースを取り除いた状態の側面図である。
【図１８】図１７の平面図である。
【図１９】図１７の一部を断面した説明図である。
【図２０】本発明のディスク記録及び／又は再生装置に係るスライド部材を示すもので、同図Ａは上面側から見た斜視図、同図Ｂは下面側から見た斜視図である。
【符号の説明】
【００７６】
１…ディスク記録再生装置（ディスク記録及び／又は再生装置）、  ２…ディスク（ディスク状記録媒体）、  ３…外装ケース、  ４…ケース本体、  ５…ケース蓋体、  ６…外装シャーシ、  ７…ディスクドライブ装置、  ８…メカシャーシ、  ９…テーブル回転手段、  １０…ディスクホルダ、  １１…上部プレート、  １４，４５，５１…コイルばね（弾性部材）、  １６…イジェクト部材、  ２３…ターンテーブル、  ２５…支持プレート、  ２６…カムアーム、  ２８…ディスク出入口、  ２９…ディスク収納部、  ３０…ホルダ本体、  ３１…スライド部材、  ３２Ｌ，３２Ｒ…ホールドアーム、  ３３…スライドロック機構、  ３５…上面板、  ３６…下面板、  ３７…回動軸部、  ３９…チャッキングプレート、  ４１…ロックレバー、  ４２…回動軸、  ４３…カムピン、  ５０…保持爪、  ５３…ガイド溝、  ５５…クッション材、  ６０…カム溝、  ６０ａ…ロック部、  ６０ｂ…挿入部、  ６８…板ばね
【図１】
2006209863.tif 000003
【図２】
2006209863.tif 000004
【図３】
2006209863.tif 000005
【図４】
2006209863.tif 000006
【図５】
2006209863.tif 000007
【図６】
2006209863.tif 000008
【図７】
2006209863.tif 000009
【図８】
2006209863.tif 000010
【図９】
2006209863.tif 000011
【図１０】
2006209863.tif 000012
【図１１】
2006209863.tif 000013
【図１２】
2006209863.tif 000014
【図１３】
2006209863.tif 000015
【図１４】
2006209863.tif 000016
【図１５】
2006209863.tif 000017
【図１６】
2006209863.tif 000018
【図１７】
2006209863.tif 000019
【図１８】
2006209863.tif 000020
【図１９】
2006209863.tif 000021
【図２０】
2006209863.tif 000022